(57)【要約】【課題】発表者用端末および参加者用端末の判断を自動で行うことのできるネットワークプロジェクタを提供する。【解決手段】情報処理端末２、３と無線ＬＡＮ１００を介して接続されるネットワークプロジェクタ１において、情報処理端末２、３のうち、ネットワークプロジェクタ１への接続要求を最初に受信した端末を発表者用端末と判断し、該発表者用端末以外の端末を、該発表者用端末と無線ＬＡＮ１００を介して接続される参加者用端末と判断し、該発表者用端末からのデータのみにより映像を表示する制御を行う制御部を有する。【選択図】図１
2007288487.tif 000002
【特許請求の範囲】
【請求項１】
複数の無線端末と無線ネットワークを介して接続されるネットワークプロジェクタにおいて、
前記複数の無線端末のうち、当該ネットワークプロジェクタへの接続要求を最初に受信した無線端末を発表者用端末と判断し、該発表者用端末以外の無線端末を、該発表者用端末と前記無線ネットワークを介して接続される参加者用端末と判断し、前記発表者用端末のみからのデータにより映像を表示する制御を行う制御部を有することを特徴とするネットワークプロジェクタ。
【請求項２】
前記制御部は、
前記複数の無線端末に対して、前記無線ネットワークにおけるアドレスを割り当てるアドレス割り当て部と、
前記アドレス割り当て部によりアドレスが割り当てられた前記複数の無線端末のうち、当該ネットワークプロジェクタへの接続要求を最初に受信した無線端末に割り当てられたアドレスを発表者情報として管理し、該発表者用端末以外の無線端末に割り当てられたアドレスを参加者情報として管理し、前記発表者情報として管理しているアドレスを送信元とするデータを前記発表者用端末からのデータと判断し、前記参加者情報として管理しているアドレスを送信元とするデータを前記参加者用端末からのデータと判断する会議管理部と、を有する、請求項１に記載のネットワークプロジェクタ。
【請求項３】
前記会議管理部は、前記発表者用端末であると判断した無線端末から、前記参加者用端末であると判断した無線端末のアドレスを含む発表者切替承認コマンドを受信すると、該発表者切替承認コマンドに含まれているアドレスを前記発表者情報として管理し、前記発表者用端末であると判断した無線端末のアドレスを前記参加者情報として管理するために管理情報の変更を行う、請求項２に記載のネットワークプロジェクタ。
【請求項４】
表示部と、
一部が会議を示す会議識別子であるネットワーク識別子を含む会議プロファイル情報が前記会議を識別可能な会議識別情報と関連付けられて格納される記憶部と、をさらに有し、
前記制御部は、前記会議識別情報を前記表示部に表示し、該表示した会議識別情報から特定の会議識別情報を選択する旨の入力を受け付けると、該選択された会議識別情報と対応する会議プロファイル情報を前記記憶部から取得し、該取得した会議プロファイル情報を参照して前記無線ネットワークに関する接続設定を行う、請求項１に記載のネットワークプロジェクタ。
【請求項５】
前記制御部は、前記記憶部から取得した会議プロファイル情報のネットワーク識別子を含む無線情報を前記無線ネットワーク上に送出する、請求項４に記載のネットワークプロジェクタ。
【請求項６】
前記制御部は、前記発表者用端末であると判断した無線端末に対して、発表者コマンドを送信し、該発表者コマンドの送信から所定時間内に前記映像の表示を行うためのデータを該無線端末から受信しなかった場合は、該無線端末が前記参加者用端末であると判断し、該無線端末の次に当該ネットワークプロジェクタへの接続要求を受信した無線端末を前記発表者用端末と判断する、請求項１に記載のネットワークプロジェクタ。
【請求項７】
前記無線ネットワークの通信形態がアドホックに対応する、請求項１乃至６のいずれか１項に記載のネットワークプロジェクタ。
【請求項８】
ネットワークプロジェクタと、
前記ネットワークプロジェクタと無線ネットワークを介して接続される複数の無線端末と、を有し、
前記ネットワークプロジェクタは、前記複数の無線端末のうち、当該ネットワークプロジェクタへの接続要求を最初に受信した無線端末を発表者用端末と判断し、該発表者用端末以外の無線端末を、該発表者用端末と前記無線ネットワークを介して接続される参加者用端末と判断し、前記発表者用端末のみからのデータにより映像を表示する、ことを特徴とする電子会議システム。
【請求項９】
前記ネットワークプロジェクタおよび複数の無線端末のそれぞれは、一部が会議を示す会議識別子であるネットワーク識別子を含む会議プロファイル情報が前記会議を識別可能な会議識別情報と関連付けられて格納される記憶部を備えるとともに該記憶部の格納内容に基づいた表示を可能なように構成され、
前記ネットワークプロジェクタは、前記会議識別情報を表示し、該表示した会議識別情報から特定の会議識別情報を選択する旨の入力を受け付けると、該選択された会議識別情報と対応する会議プロファイル情報を自プロジェクタの記憶部から取得し、該取得した会議プロファイル情報を参照して前記無線ネットワークに関する接続設定を行い、該取得した会議プロファイル情報のネットワーク識別子を含む無線情報を前記無線ネットワーク上に送出し、
前記複数の情報処理端末のそれぞれは、前記無線情報を受信し、該受信した無線情報に含まれるネットワーク識別子の会議識別子に基づいて、自端末の記憶部から該当する会議プロファイル情報に関する会議識別情報を取得し、該取得した会議識別情報を表示し、該表示した会議識別情報を選択する旨の入力を受け付けると、該選択された会議識別情報に基づいて、自端末の記憶部から該当する会議プロファイル情報を取得し、該取得した会議プロファイル情報に基づいて前記無線ネットワークに関する接続設定を行う、電子会議システム。
【請求項１０】
複数の無線端末と無線ネットワークを介して接続されるネットワークプロジェクタの制御方法であって、
制御部が、前記複数の無線端末のうち、当該ネットワークプロジェクタへの接続要求を最初に受信した無線端末を発表者用端末と判断し、該発表者用端末以外の無線端末を、該発表者用端末と前記無線ネットワークを介して接続される参加者用端末と判断し、前記発表者用端末のみからのデータにより映像を表示する制御を行うステップを含む、ネットワークプロジェクタの制御方法。
【請求項１１】
複数の無線端末と無線ネットワークを介して接続されるネットワークプロジェクタにおいて用いられるプログラムであって、
前記複数の無線端末のうち、当該ネットワークプロジェクタへの接続要求を最初に受信した無線端末を発表者用端末と判断する処理と、
前記発表者用端末以外の無線端末を、該発表者用端末と前記無線ネットワークを介して接続される参加者用端末と判断する処理と、
前記発表者用端末のみからのデータにより映像を表示する制御を行う処理と、をコンピュータに実行させるプログラム。
【発明の詳細な説明】
【技術分野】
【０００１】
本発明は、複数の無線端末と無線により接続されるネットワークプロジェクタに関する。
【背景技術】
【０００２】
複数の情報処理端末が無線ＬＡＮ（Local Area Network）を介してプロジェクタと接続される電子会議システムが知られている（特許文献１参照）。この電子会議システムでは、利用者は、手元にある情報処理端末を使用して、必要なデータをプロジェクタで表示したり、他の情報処理端末に供給したりすることができる。また、各情報処理端末は、ネットワークの接続設定を行うためのネットワークＩ／Ｆカードを装着することで、ネットワークへの接続に伴う設定処理を自動的に行うように構成されている。これにより、利用者は、ネットワークの接続設定のための特別な知識を持たなくても、簡単に手元にある情報処理端末を無線ＬＡＮに接続することができる。
【特許文献１】特開２００１−３２５１６６号公報
【発明の開示】
【発明が解決しようとする課題】
【０００３】
しかしながら、特許文献１に記載の電子会議システムにおいては、以下のような問題がある。
【０００４】
ネットワークＩ／Ｆカードは、情報処理端末に装着されると、予め用意されたホスト／クライアント決定プログラムを実行して、当該カードを装着した情報処理端末がホストおよびクライアントのいずれであるかを決定するようになっている。このようなネットワークＩ／Ｆカードは、特殊であり、既存のネットワークＩ／Ｆカードに比べて値段が高いため、システムのコストが増大する。
【０００５】
また、プロジェクタは、ホスト（発表者用端末）からの情報だけでなく、クライアント（参加者用端末）からの情報も受け付けてその表示を行うようになっているため、表示処理が煩雑になる。複数の無線端末と無線ネットワークを介して接続されるプロジェクタにおいて、ホスト（発表者用端末）からの情報のみを受け付けるようにするには、プロジェクタ自身が、情報処理端末がホスト（発表者用端末）およびクライアント（参加者用端末）のいずれであるかを判断する必要があるが、そのような判断を行うプロジェクタはこれまで提案されていない。
【０００６】
なお、特殊なネットワークＩ／Ｆカードを用いない既存の電子会議システムにおいては、通常、発表者や参加者もしくはシステム管理者が、情報処理端末のそれぞれについて、発表者用端末および参加者用端末のいずれであるかを登録する作業を行っているが、そのような作業は、ユーザにとって煩わしい。
【０００７】
本発明の目的は、上記問題を解決し、特殊なネットワークＩ／Ｆカードを使用することなく、発表者用端末および参加者用端末の判断を自動で行うことのできる、ネットワークプロジェクタを提供することにある。
【課題を解決するための手段】
【０００８】
上記目的を達成するため、本発明は、複数の無線端末と無線ネットワークを介して接続されるネットワークプロジェクタにおいて、
前記複数の無線端末のうち、当該ネットワークプロジェクタへの接続要求を最初に受信した無線端末を発表者用端末と判断し、該発表者用端末以外の無線端末を、該発表者用端末と前記無線ネットワークを介して接続される参加者用端末と判断し、前記発表者用端末のみからのデータにより映像を表示する制御を行う制御部を有することを特徴とする。
【０００９】
上記の構成によれば、制御部が、最初に接続要求のあった無線端末を発表者用端末と判断し、該発表者用端末以外の無線端末を参加者用端末と判断するので、各無線端末に特殊なネットワークＩ／Ｆカードを装着する必要はない。また、発表者や参加者が、発表者用端末および参加者用端末のいずれであるかを登録する、といった作業も行う必要がない。
【００１０】
また、制御部が、無線端末が発表者用端末および参加者用端末のいずれであるのかを認識し、発表者用端末からの情報のみを受け付けて表示するので、従来のように表示処理が煩雑になることはない。
【発明の効果】
【００１１】
本発明によれば、特殊なネットワークＩ／Ｆカードを必要としないので、その分、システムのコストを削減することができる。
【００１２】
また、ネットワークプロジェクタ自身が、無線端末が発表者用端末および参加者用端末のいずれであるのかを認識して発表者用端末からのデータのみを表示するようになっているので、表示処理が煩雑になることを抑制することができる。
【発明を実施するための最良の形態】
【００１３】
次に、本発明の実施形態について図面を参照して説明する。
【００１４】
（第１の実施形態）
図１は、本発明の第１の実施形態である電子会議システムの概略構成を示す模式図である。図１を参照すると、この電子会議システムは、ネットワークプロジェクタ１と、発表者によって使用される情報処理端末２と、会議の参加者によって使用される情報処理端末３とからなる。
【００１５】
ネットワークプロジェクタ１は、無線ＬＡＮ対応のプロジェクタであって、無線ＬＡＮ１００を介して接続された情報処理端末から供給されるデータに基づく映像をスクリーン４上に表示する。図２に、ネットワークプロジェクタ１の主要部の構成を示す。
【００１６】
図２を参照すると、ネットワークプロジェクタ１は、無線ＬＡＮ部１０１、制御部１０２、ＴＣＰ／ＩＰ（Transmission Control Protocol / Internet Protocol）プロトコルスタック１０３、画像伸張部１０４、表示部１０５、記憶部１０６および入力部１０７を有する。
【００１７】
無線ＬＡＮ部１０１は、ＩＥＥＥ（Institute of Electrical and Electronics Engineers / 米国電気電子学会）の無線ＬＡＮの規格であるIEEE802.11等に対応する無線ＬＡＮインタフェースを備える。この種の無線ＬＡＮインタフェースには、アクセスポイントを介して無線通信を行うインフラストラクチャーと呼ばれる通信形態と、アクセスポイントを介さずに無線通信を行う、アドホックと呼ばれる通信形態とがあるが、ここでは、無線ＬＡＮ部１０１は、後者のアドホックにより無線通信を行う無線ＬＡＮインタフェースを備える。
【００１８】
ＴＣＰ／ＩＰプロトコルスタック１０３は、インターネットやイントラネットで標準的に使われる通信プロトコルの１つであるＴＣＰ／ＩＰのプロトコルを実装した既存のネットワークモジュール部（ソフトウェア群）である。
【００１９】
画像伸張部１０４は、外部の情報処理端末から無線ＬＡＮ部１０１を通じて入力された圧縮画像情報（静止画、動画、文字、図形などの種々の情報を含む）に対して伸張処理を行う。この画像伸張部１０４で伸張処理された画像情報は、表示部１０５に供給される。表示部１０５は、照明光学系と、この照明光学系からの照明光を受けて画像情報（静止画、動画、文字、図形などを含む）を含む画像光を生成する、液晶デバイスなどにより構成される表示デバイスと、この表示デバイスで生成された画像光をスクリーン４上に投写する光学系とからなる既存のプロジェクタの表示システムである。
【００２０】
記憶部１０６は、複数の会議プロファイルに関する情報（会議プロファイル情報）が予め格納されている。図３に、会議プロファイル情報の一例を示す。図３を参照すると、会議プロファイル情報は、プロファイル名、ＳＳＩＤ（Service Set Identifier）、チャンネル、ＷＥＰ（Wire Equivalent Privacy）キーの項目からなる。プロファイル名の項目には、会議を識別可能な情報が格納される。ここでは、プロファイル名として「会議１」〜「会議ｎ」の情報が格納されている。ＳＳＩＤの項目には、他の無線機器との無線通信に必要なＳＳＩＤが格納される。ＳＳＩＤは、１５文字のアルファベットの文字列と２桁の数字から構成される。アルファベットの文字列の先頭から３文字は固定文字列「ＰＪＺ」とされ、残りの文字列は任意の文字とされる。２桁の数字の部分は、会議に固有の番号（会議を識別できるのであれば、文字であってもよい）である。例えば「会議１」のＳＳＩＤは「ＰＪＺＴＮＧＨＪＫＬＸＩＩＩ０１」であり、先頭の３文字「ＰＪＺ」と最後の数字「０１」をキーワードとして、「会議１」〜「会議ｎ」のうちのどの会議の会議プロファイルであるかを判断することができる。チャンネルの項目には、他の無線機器との無線通信に使用されるチャンネル番号が格納される。ＷＥＰキーの項目には、他の無線機器との無線通信で使用される暗号キーが格納される。暗号化を行わない場合は、ＷＥＰキーの項目は「暗号化なし」とされる。
【００２１】
入力部１０７は、情報の入力やネットワークプロジェクタ１を操作するためのボタンやキーまたはタッチパネルなどにより構成される。電子会議システムの管理者は、入力部１０７にて、必要なデータ（会議プロファイル情報などを含む）の入力を行うことができる。また、ネットワークプロジェクタ１の利用者（発表者）は、入力部１０７にて、ネットワークプロジェクタ１の操作や必要なデータまたは情報の選択（会議プロファイル情報一覧からの会議プロファイルの選択を含む）などを行うことができる。
【００２２】
制御部１０２は、入力部１０７からの入力を受け付けて、ネットワークプロジェクタ１の各部の動作を制御する。制御部１０２によって実現される機能部として、会議管理部とアドレス割り当て部を有する。
【００２３】
会議管理部は、入力部１０７からの入力に基づいて記憶部１０６への会議プロファイル情報の登録およびその更新を行う。また、会議管理部は、記憶部１０６に格納されている会議プロファイル情報を、表示部１０５を通じてスクリーン４上に表示させ（または、不図示の表示デバイスに表示させ）、その表示した会議プロファイル情報から利用者が入力部１０７を通じて選択した会議プロファイルに従って無線ＬＡＮ部１０１およびＴＣＰ／ＩＰプロトコルスタック１０３の各設定を行う。さらに、会議管理部は、選択された会議プロファイルのネットワーク識別子であるＳＳＩＤを含む無線情報を、無線ＬＡＮ部１０１を通じて定期的に送信する。
【００２４】
上記の他、会議管理部は、情報処理端末２、３からの会議接続要求を審査し、会議接続要求のあった情報処理端末について、発表者用端末か参加者用端末かの判断を行う。また、会議管理部は、発表者用端末に対して画面転送（発表者用端末からネットワークプロジェクタ１および参加者用端末への画面転送）の許可／禁止の判断を行う。この判断により、ネットワークプロジェクタ１において、発表者用端末からのデータのみによる映像の表示制御が可能となる。
【００２５】
アドレス割り当て部は、ＩＰアドレスを動的に割り当てるＤＨＣＰ（Dynamic Host Configuration Protocol）もしくはこれと同様な機能を備えており、情報処理端末２、３からのＩＰアドレス要求を受信した場合は、空きＩＰアドレスを情報処理端末２、３に割り当てる。アドレス割り当て部は、ＩＰアドレスの情報（使用中ＩＰアドレス／空きＩＰアドレス）を管理しており、参加者用端末に対してＩＰアドレスの割り当てを行った場合に、その割り当てたＩＰアドレスの情報とともに、発表者用端末に割り当てたＩＰアドレスの情報も一緒に、参加者用端末に送信する。
【００２６】
会議管理部は、発表者用端末のＩＰアドレスを発表者情報として管理し、参加用端末のＩＰアドレスを参加者情報として管理する。発表者情報および参加者情報は記憶部１０６に格納される。会議管理部は、記憶部１０６に格納した管理情報（発表者情報および参加者情報）の追加・変更を行う。会議管理部は、記憶部１０６に格納した管理情報を参照して、情報処理端末２、３から受信したデータの送信元情報（送信元アドレス）に基づいて、該受信データが発表者用端末および参加者用端末のいずれの端末からのデータであるかを判断することができる。
【００２７】
情報処理端末２、３は、パーソナルコンピュータに代表される端末である。図４に、情報処理端末２の主要部を示し、図５に、情報処理端末３の主要部を示す。
【００２８】
図４を参照すると、情報処理端末２の主要部は、無線ＬＡＮ部２０１、制御部２０２、ＴＣＰ／ＩＰプロトコルスタック２０３、画像圧縮部２０４、画面キャプチャ部２０５、記憶部２０６、入力部２０７および表示部２０８から構成されている。
【００２９】
無線ＬＡＮ部２０１は、アドホックに対応する無線ＬＡＮインタフェースを備える。ＴＣＰ／ＩＰプロトコルスタック２０３は、ＴＣＰ／ＩＰプロトコルスタック１０３と同様、インターネットやイントラネットで標準的に使われる通信プロトコルであるＴＣＰ／ＩＰのプロトコルを実装した既存のネットワークモジュール部である。
【００３０】
表示部２０８は、ＣＲＴや液晶デバイスなどの表示デバイスより構成される。画面キャプチャ部２０５は、表示部２０８に表示されている画面イメージを取り込む。画像圧縮部２０４は、画面キャプチャ部２０５で取り込んだ画面イメージを圧縮する。
【００３１】
入力部２０７は、キーボードやマウスなどからなる。情報処理端末２の使用者（ここでは、発表者）は、この入力部２０７を通じて情報処理端末２を操作する。記憶部２０６は、半導体メモリやハードディスクに代表される記憶装置よりなり、ネットワークプロジェクタ１の記憶部１０６に格納された複数の会議プロファイルに関する情報（会議プロファイル情報）と同じ情報が予め格納されている。
【００３２】
制御部２０２は、入力部２０７からの入力を受け付けて、情報処理端末２の各部の動作を制御する。具体的には、制御部２０２は、入力部２０７からの入力に基づいて記憶部２０６への会議プロファイル情報の登録およびその更新を行う。また、制御部２０２は、入力部２０７にて所定の入力操作が行われると、記憶部２０６に格納されている会議プログラムを起動してサイトサーベイを実行する。サイトサーベイは、周辺の無線機器（ここでは、ネットワークプロジェクタ１）から出力される定期的な信号を取り込み、無線情報（ＳＳＩＤを含む）や電波強度を取得する機能である。
【００３３】
また、制御部２０２は、サイトサーベイで取得した無線情報に含まれるＳＳＩＤの先頭の３文字「ＰＪＺ」と最後の数字をキーワードとして、記憶部２０６に格納されている会議プロファイル情報のＳＳＩＤの中に、そのキーワードを含むＳＳＩＤが存在するか否かを調べる。キーワードを含むＳＳＩＤが存在する場合は、制御部２０２は、その会議プロファイル情報の会議名を表示部２０８に表示させる。そして、その表示した会議名を利用者が入力部２０７を通じて選択すると、制御部２０２は、その選択した会議名に対応する会議プロファイル情報を記憶部２０６から読み出し、その読み出した会議プロファイル情報に従って無線ＬＡＮ部２０１およびＴＣＰ／ＩＰプロトコルスタック２０３の各設定を行う。
【００３４】
さらに、制御部２０２は、ネットワークプロジェクタ１に対して会議接続要求を行い、その要求が受理されると、画面キャプチャ２０５にキャプチャ開始の指示を行う。また、制御部２０２は、ネットワークプロジェクタ１によって会議接続要求が受理された情報処理端末（参加者用端末であり、ここでは情報処理端末３）から接続要求を受信した場合は、その情報処理端末３が正規の端末であるか否かを判断する。そして、情報処理端末３が正規の端末であると判断した場合は、制御部２０２は、情報処理端末３への画面転送を開始する。情報処理端末３が正規の端末であるいか否かの判断には、情報処理端末３に割り当てられているＭＡＣ（Media Access Control）アドレスを用いた既存の認証処理を適用することができる。この場合は、情報処理端末２は、接続要求の際に、情報処理端末３から取得したＭＡＣアドレスが予め保持してあったＭＡＣアドレスと合致するか否かを判断することで、正規の端末か否かの判断を行う。
【００３５】
図５を参照すると、情報処理端末３の主要部は、無線ＬＡＮ部３０１、制御部３０２、ＴＣＰ／ＩＰプロトコルスタック３０３、画像伸張部３０４、表示部３０５、記憶部３０６および入力部３０７から構成されている。
【００３６】
無線ＬＡＮ部３０１は、アドホックに対応する無線ＬＡＮインタフェースを備える。ＴＣＰ／ＩＰプロトコルスタック３０３は、ＴＣＰ／ＩＰプロトコルスタック１０３、２０３と同様、インターネットやイントラネットで標準的に使われる通信プロトコルであるＴＣＰ／ＩＰのプロトコルを実装した既存のネットワークモジュール部である。
【００３７】
表示部３０５は、ＣＲＴや液晶デバイスなどの表示デバイスより構成される。画像伸張部３０４は、無線ＬＡＮ部３０１を通じて入力された圧縮画像情報（静止画、動画、文字、図形などの種々の情報を含む）に対して伸張処理を行う。この画像伸張部３０４で伸張処理された画像情報は、表示部３０５に供給される。
【００３８】
入力部３０７は、キーボードやマウスなどからなる。情報処理端末３の使用者（ここでは、参加者）は、この入力部３０７を通じて情報処理端末３を操作する。記憶部３０６は、半導体メモリやハードディスクに代表される記憶装置よりなり、ネットワークプロジェクタ１の記憶部１０６に格納された複数の会議プロファイルに関する情報（会議プロファイル情報）と同じ情報が予め格納されている。
【００３９】
制御部３０２は、入力部３０７からの入力を受け付けて、情報処理端末３の各部の動作を制御する。具体的には、制御部３０２は、入力部３０７からの入力に基づいて記憶部３０６への会議プロファイル情報の登録およびその更新を行う。また、制御部３０２は、入力部３０７にて所定の入力操作が行われると、記憶部３０６に格納されている会議プログラムを起動してサイトサーベイを実行する。
【００４０】
また、制御部３０２は、サイトサーベイで取得した無線情報に含まれるＳＳＩＤの先頭の３文字「ＰＪＺ」と最後の数字をキーワードとして、記憶部３０６に格納されている会議プロファイル情報のＳＳＩＤの中に、そのキーワードを含むＳＳＩＤが存在するか否かを調べる。キーワードを含むＳＳＩＤが存在する場合は、制御部３０２は、その会議プロファイル情報の会議名を表示部３０８に表示させる。そして、その表示した会議名を利用者が入力部３０７を通じて選択すると、制御部３０２は、その選択した会議名に対応する会議プロファイル情報を記憶部３０６から読み出し、その読み出した会議プロファイル情報に従って無線ＬＡＮ部３０１およびＴＣＰ／ＩＰプロトコルスタック３０３の各設定を行う。さらに、制御部３０２は、ネットワークプロジェクタ１に対して会議接続要求を行い、その要求が受理されると、情報処理端末２への接続要求を行う。制御部３０２は、ＩＰアドレス取得時にネットワークプロジェクタ１から供給される発表者用端末のＩＰアドレスに基づいて、情報処理端末２を発表者用端末と認識する。
【００４１】
なお、ネットワークプロジェクタ１および情報処理端末２、３の各記憶部には、共通の会議プロファイル情報が格納されるものとする。会議プロファイル情報のネットワークプロジェクタ１および情報処理端末２、３への提供は、ＣＤ−ＲやＤＶＤなどに代表される記録媒体を通じて行うことができる。
【００４２】
次に、本実施形態の電子会議システムのネットワーク接続処理について具体的に説明する。
【００４３】
（１）会議開始までの流れ：
図６に会議開始までの流れを示す。以下、図１〜図４および図６を参照して、会議開始までの流れを説明する。
【００４４】
発表者がネットワークプロジェクタ１の電源を投入すると、ネットワークプロジェクタ１では、制御部１０２が、記憶部１０６に格納されている会議プロファイル情報の一覧（会議名の一覧）を表示部１０５にて表示させる（ステップＳ１０１）。スクリーン４上には、「会議１」〜「会議ｎ」の会議名一覧が表示される。
【００４５】
次に、発表者が、入力部１０７を通じて、スクリーン４上に表示された会議名一覧から「会議５」を選択すると（ステップＳ１０２）、制御部１０２が、記憶部１０６に格納されている「会議５」に関する会議プロファイル情報（ＳＳＩＤ、チャンネル番号、ＷＥＰキー）を参照して、無線ＬＡＮ部１０１の設定を行い（ステップＳ１０３）、その後、ＴＣＰ／ＩＰプロトコルスタック１０３におけるＩＰアドレスとサブネットマスクなどを設定する（ステップＳ１０４）。ステップＳ１０１〜Ｓ１０４の処理が完了すると、ネットワークプロジェクタ１は、無線情報（ＳＳＩＤ「ＰＪＺＬＤＡＯＪＨＷＩＯＬＡＳ０５」を含む）を定期的に送出する。
【００４６】
次に、発表者が、情報処理端末２の入力部２０７にて、サイトサーベイを実行するための入力操作を行うと、制御部２０２が、記憶部２０６に格納されている会議プログラムに従ってサイトサーベイを実行する（ステップＳ２０１）。次いで、制御部２０２が、このサイトサーベイで取得したＳＳＩＤ「ＰＪＺＬＤＡＯＪＨＷＩＯＬＡＳ０５」の先頭の３文字「ＰＪＺ」と最後の数字「０５」をキーワードとして、記憶部２０６に格納されている会議プロファイル情報のＳＳＩＤの中に、そのキーワードを含むＳＳＩＤが存在するか否かを調べる（ステップＳ２０２）。キーワードを含むＳＳＩＤが存在する場合は、制御部２０２は、そのＳＳＩＤを含む会議プロファイル情報の会議名を表示部２０８に表示させる（ステップＳ２０３）。この場合は、会議名として「会議５」が表示される。
【００４７】
次に、発表者が、入力部２０７を通じて、表示部２０８に表示された会議名「会議５」を選択すると（ステップＳ２０４）、制御部２０２が、記憶部２０６に格納されている「会議５」に関する会議プロファイル情報（ＳＳＩＤ、チャンネル番号、ＷＥＰキー）を参照して、無線ＬＡＮ部２０１の設定を行い（ステップＳ２０５）、その後、ＴＣＰ／ＩＰプロトコルスタック２０３が、ネットワークプロジェクタ１に対してＩＰアドレスを要求する（ステップＳ２０６）。
【００４８】
ネットワークプロジェクタ１では、情報処理端末２からＩＰアドレス要求を受信すると、制御部１０２が、同じネットワーク体系内において現在使用されていない空きＩＰアドレスの検索を行う（ステップＳ１０５）。空きＩＰアドレスが見つかると、制御部１０２が、無線ＬＡＮ部１０１を通じて、見つかったＩＰアドレスを情報処理端末２に送信する（ステップＳ１０６）。
【００４９】
情報処理端末２では、ネットワークプロジェクタ１からＩＰアドレスを受信すると、制御部２０２が、その受信したＩＰアドレスに基づいて、ＴＣＰ／ＩＰプロトコルスタック２０３のＩＰアドレスとサブネットマスクなどを設定する（ステップＳ２０７）。ネットワークの接続設定が完了すると、制御部２０２が、会議接続要求をネットワークプロジェクタ１に送信する（ステップＳ２０８）。
【００５０】
ネットワークプロジェクタ１では、情報処理端末２から会議接続要求を受信すると、制御部１０２が、会議中かどうかを判断する（ステップＳ１０７）。会議中かどうかの判断において、制御部１０２は、情報処理端末から会議接続要求を受信した際に、すでに別の情報処理端末から会議接続要求を受信している場合は、会議中と判断し、まだ会議接続要求を受信していない場合は、会議中でないと判断する。会議中でなければ、制御部１０２は、無線ＬＡＮ部１０１を通じて、発表者コマンドを要求元の情報処理端末に送信する（ステップＳ１０８）。会議中であれば、制御部１０２は、無線ＬＡＮ部１０１を通じて、参加者コマンドを要求元の情報処理端末に送信する（ステップＳ１０９）。ここでは、情報処理端末２からの会議接続要求の受信が、はじめての会議接続要求の受信であるので、ステップＳ１０８の処理が実行される。
【００５１】
（２）情報処理端末２の画面送信までの流れ：
図７に、画面送信までの流れを示す。以下、図１〜図４、図６および図７を参照して、会議開始までの流れを説明する。
【００５２】
情報処理端末２では、ネットワークプロジェクタ１から発表者コマンドを受信すると、制御部２０２が、ネットワークプロジェクタ１に対して接続要求を行う（ステップＳ２０９）。
【００５３】
ネットワークプロジェクタ１では、情報処理端末２から接続要求を受信すると、制御部１０２が、受信準備を行い（ステップＳ１１０）、無線ＬＡＮ１００を通じた情報処理端末２との接続を完了する（ステップＳ１１１）。このとき、制御部１０２は、無線ＬＡＮ部１０１を通じて、接続が完了した旨の通知を情報処理端末２に送信する。
【００５４】
情報処理端末２では、接続完了通知を受信すると、制御部２０２が、画面キャプチャ部２０５に画面キャプチャ開始を指示し、画面キャプチャ部２０５が表示部２０８に表示された画面イメージをキャプチャする（ステップＳ２１０）。そして、画像圧縮部２０４が、その画面キャプチャ部２０５でキャプチャした画像を圧縮し（ステップＳ２１１）、制御部２０２が、無線ＬＡＮ部２０１を通じて、その圧縮画像をネットワークプロジェクタ１に送信する（ステップＳ２１２）。このステップＳ２１０〜Ｓ２１２の処理は繰り返し行われ、会議の終了、発表者の変更、ネットワークの切断のいずれかのタイミングで終了する。
【００５５】
（３）情報処理端末３の画面受信までの流れ：
図８に、画面受信までの流れを示す。以下、図１〜図６および図８を参照して、画面受信までの流れを説明する。
【００５６】
情報処理端末３にて、図６に示したステップＳ２０１〜Ｓ２０８の処理が実行されるとともに、ネットワークプロジェクタ１にて図６に示したステップＳ１０５、Ｓ１０６の処理が実行される。情報処理端末３におけるステップＳ２０１のサイトサーベイでは、ネットワークプロジェクタ１からの無線情報に含まれるＳＳＩＤおよび情報処理端末２からの無線情報に含まれるＳＳＩＤがそれぞれ取得されることになるが、これらＳＳＩＤは共に同じ情報である。
【００５７】
情報処理端末３から会議接続要求を受信したネットワークプロジェクタ１では、制御部１０２が、会議中かどうかをチェックする（ステップＳ１０７）。ここでは、上述の「（１）会議開始までの流れ」の処理で、情報処理端末２からの会議接続要求をすでに受信しているので、制御部１０２は、会議中であると判断して、無線ＬＡＮ部１０１を通じて、参加者コマンドを情報処理端末３に送信する（Ｓ１０９）。参加者コマンドの送信に際して、制御部１０２は、発表者用端末（情報処理端末２）に割り当てたＩＰアドレスも一緒に情報処理端末３に送信する。
【００５８】
情報処理端末３では、ネットワークプロジェクタ１から参加者コマンドを受信すると、制御部３０２が、受信準備を行い（ステップＳ３０１）、情報処理端末２への接続処理を行う（ステップＳ３０２）。このとき、情報処理端末２では、図７に示したステップＳ２１０〜Ｓ２１２の処理が繰り返し行われており、制御部２０２が、画面キャプチャ部２０５でキャプチャされて画像圧縮部２０４で圧縮された画面イメージを情報処理端末３へ送信する。
【００５９】
情報処理端末２から送信された画像は、無線ＬＡＮ１００を介して情報処理端末３にて受信される（ステップＳ３０３）。情報処理端末３では、画像伸張部３０４が、その受信した画像を伸張する（ステップＳ３０４）。そして、表示部３０５にて、画像伸張部３０４で伸張された画像が、ウィンドウの任意の位置に表示される（ステップＳ３０５）。
【００６０】
別の参加者の情報処理端末において、上述した「（３）情報処理端末３の画面受信までの流れ」と全く同じ処理が実行されることにより、会議参加者を次々に増やすことができる。
【００６１】
以上説明した本実施形態の電子会議システムによれば、発表者は、ネットワークプロジェクタ１上で、表示された会議名一覧から任意に会議名を選択する、といった簡単な入力操作を行うだけで、ネットワークプロジェクタ１のネットワーク接続設定を行うことができる。また、発表者は、情報処理端末２上で、表示された会議名を選択する、といった簡単な入力操作を行うだけで、情報処理端末２のネットワーク接続設定を行うことができる。これと同様に、参加者も、情報処理端末３上で、表示された会議名を選択する、といった簡単な入力操作を行うだけで、情報処理端末３のネットワーク接続設定を行うことができる。このように、発表者や参加者は、ネットワークの接続設定のための特別な知識を持たなくても、ネットワークプロジェクタ１および情報処理端末２、３のネットワーク接続設定を行うことができる。
【００６２】
また、ネットワークプロジェクタ１によって、情報処理端末２、３が発表者用端末および参加者用端末のいずれの端末であるかが自動的に判定されて管理されるので、発表者や参加者は、自身が所持する端末を発表者用端末や参加者用端末として登録する必要がない。
【００６３】
加えて、ネットワークプロジェクタ自身が、情報処理端末が発表者用端末および参加者用端末のいずれであるのかを認識するようになっているので、発表者用端末からの情報のみを受け付けて表示する、といった処理が可能となる。このように、ネットワークプロジェクタにおいては、発表者用端末のみからの情報により映像を表示する構成（換言すると、参加者端末からの情報を表示しない構成）とすることにより、表示処理が煩雑になることを抑制することができる。
【００６４】
さらに、情報処理端末２、３におけるネットワーク接続設定処理（図６に示したステップＳ２０１〜Ｓ２０８の処理）は基本的には同じであるので、これら端末２、３のネットワーク接続設定処理を実行するためのプログラムもほぼ同じものとすることができる。このように、情報処理端末２、３に使用するプログラムは基本的に同じものであるので、プログラム作成におけるコストの削減を図ることができる。
【００６５】
（第２の実施形態）
第１の実施形態の電子会議システムにおいて、複数のネットワークプロジェクタを無線ＬＡＮ１００に接続することもできる。具体的には、メインとして使用される１台のプライマリネットワークプロジェクタと、サブとして使用される複数台のセカンダリネットワークプロジェクタとを無線ＬＡＮ１００に接続した構成としてもよい。ここでは、そのようなネットワークプロジェクタの接続が可能な電子会議システムについて説明する。
【００６６】
図９に、本発明の第２の実施形態である電子会議システムの構成を示す。図９を参照すると、本実施形態の電子会議システムは、無線ＬＡＮ部５０１を備えるネットワークプロジェクタ５が加えられた以外は、図１に示した構成と同じものである。ネットワークプロジェクタ５は、基本的には、図２に示したネットワークプロジェクタ１の構成と同様のものであるが、制御部によるネットワーク接続設定処理として、図６に示したステップＳ２０１〜Ｓ２０８の処理の実行が可能とされている。
【００６７】
発表者は、まず、ネットワークプロジェクタ１の電源を投入する。ネットワークプロジェクタ１では、制御部１０２により、図６に示したステップＳ１０１〜Ｓ１０４の処理が実行される（ステップＳ１００の会議初期設定処理）。
【００６８】
会議初期設定処理の後、発表者は、ネットワークプロジェクタ５の電源を投入する。ネットワークプロジェクタ５において、制御部（図２に示した制御部１０２に対応する）により、図６に示したステップＳ２０１〜Ｓ２０７の処理が実行されるとともに、ネットワークプロジェクタ１において、制御部１０２により、図６に示したステップＳ１０５、Ｓ１０６の処理が実行される（ステップＳ２００の会議選択設定処理）。
【００６９】
会議選択設定処理の後、ネットワークプロジェクタ５において、制御部により、図６に示したステップＳ２０８の処理が実行され、続いて、ネットワークプロジェクタ１において、制御部１０２により、図６に示したステップＳ１０７〜Ｓ１０９の処理が実行される（ステップＳ３００の会議接続処理）。ネットワークプロジェクタ５からの会議接続要求を受信した時点では、会議中ではないため、発表者コマンドが、ネットワークプロジェクタ１からネットワークプロジェクタ５へ送信される。
【００７０】
ネットワークプロジェクタ５は、発表者コマンドを受信すると、参加者コマンドの受信待ちとなる。一方、ネットワークプロジェクタ１は、発表者コマンドを送信した先からの接続要求（図７のステップＳ２０９）の受信待ちとなる。この接続要求受信待ちの状態において、ネットワークプロジェクタ１では、制御部１０２が、発表者コマンドの送信後から所定の時間経過しても、発表者コマンドを送信した先から接続要求を受信しない場合は、発表者コマンドを送信した先がネットワークプロジェクタであると判断する。ネットワークプロジェクタ５は、情報処理端末２のような、画像を圧縮して送信する機能を有していないので、ステップＳ２０９の、ネットワークプロジェクタ１への接続要求を行うことはない。
【００７１】
ネットワークプロジェクタ１が接続要求受信待ちの状態となった後、発表者が、情報処理端末２上で、図６のステップＳ２０１〜Ｓ２０８の処理を実行させるための操作を行うと、会議接続要求が、情報処理端末２からネットワークプロジェクタ１に送信される。
【００７２】
ネットワークプロジェクタ１では、情報処理端末２から会議接続要求を受信すると、制御部１０２が、会議中か否かの判断を行う。会議中と判断した場合で、発表者コマンドの送信後から所定の時間経過しても、発表者コマンドを送信した先から接続要求を受信しなかった場合は、制御部１０２は、発表者コマンドを送信した先がネットワークプロジェクタであると判断して、ネットワークプロジェクタ５に対して参加者コマンドを送信するとともに、情報処理端末２に対して発表者コマンドを送信する。ネットワークプロジェクタ１は、情報処理端末２に発表者コマンドを送信する際に、ネットワークプロジェクタ５の識別情報（サブであることを示す情報）およびＩＰアドレスの情報を一緒に情報処理端末２に送信する。
【００７３】
参加者コマンドを受信したネットワークプロジェクタ５は、情報処理端末２からの接続要求の受信待ちとなる。情報処理端末２に対して発表者コマンドを送信したネットワークプロジェクタ１も、情報処理端末２からの接続要求の受信待ちとなる。これ以降は、情報処理端末２とネットワークプロジェクタ１の間、および情報処理端末２とネットワークプロジェクタ５の間で、図７のステップＳ１１０〜Ｓ１１４およびステップＳ２０９〜Ｓ２１２の処理が実行される。
【００７４】
上記の処理において、ネットワークプロジェクタ５より先に情報処理端末２をネットワークプロジェクタ１に接続してもよい。この場合は、情報処理端末２では、第１の実施形態と同様の処理が実行される。また、ネットワークプロジェクタ５は、ネットワークプロジェクタ１から参加者コマンドを受信することになるので、上記の参加者コマンド受信後の処理が実行される。
【００７５】
本実施形態の電子会議システムにおいて、ネットワークプロジェクタ５を複数台配置してもよい。この場合は、各ネットワークプロジェクタ５において、上述したネットワークプロジェクタ５の処理が実行される。
【００７６】
上述した本実施形態の電子会議システムによれば、第１の実施形態における利点に加えて、複数のネットワークプロジェクタ１、５を使用して、画像をスクリーン４、６上に投射できる、という利点を有する。１つのプロジェクタで画像を投射する場合は、参加者が座る場所によっては、投射された画像までの距離が遠かったり、障害物により投射画像が遮られたりするために、画像が見え難いことがある。複数のプロジェクタを使用することで、投射画像の見え難い範囲をより小さくすることができる。
【００７７】
（第３の実施形態）
上述した第１および第２の実施形態において、発表者を変更することも可能である。ここでは、発表者の変更が可能な電子会議システムについて説明する。
【００７８】
本発明の第３の実施形態である電子会議システムは、基本的には図１に示した電子会議システムと同じ構成であるが、情報処理端末２、３のそれぞれが、図４、５に示した無線ＬＡＮ部、制御部、ＴＣＰ／ＩＰプロトコルスタック、画像圧縮部、画面キャプチャ部、画像伸張部、記憶部、入力部および表示部を備える。
【００７９】
図１０に、第３の実施形態である電子会議システムにおける発表者の変更時の動作を示す。図１０に示す例は、すでに、図６〜図８の処理が実行され、ネットワークプロジェクタ１にて、情報処理端末２が発表者用端末として管理され、情報処理端末３が参加者用端末として管理されている状態において、情報処理端末３（参加者用端末）を使用する参加者（以下、操作者Ａと記す）が発表者となり、情報処理端末２（発表者用端末）を使用する発表者（以下、操作者Ｂと記す）が参加者となる場合の動作を示したものである。
【００８０】
図１０を参照すると、まず、参加者である操作者Ａが、自身が所持する情報処理端末３において、発表者の切り替えを行うための入力操作を行うと、制御部３０２が、自端末の識別情報（ＩＰアドレスを含む）を付加した発表者切替要求コマンドをネットワークプロジェクタ１に送信する（ステップＳ７０１）。
【００８１】
ネットワークプロジェクタ１では、制御部１０２が、記憶部２０６に格納してある発表者情報から発表者用端末である情報処理端末２のＩＰアドレスを取得し（ステップＳ７０２）、該取得したＩＰアドレス宛に、情報処理端末３から受信した発表者切替要求コマンドをそのまま送信する（ステップＳ７０３）。
【００８２】
情報処理端末２では、制御部２０２が、ネットワークプロジェクタ１から発表者切替要求コマンドを受信すると、発表者切替承認画面情報を表示部２０８に表示する。表示された発表者切替承認画面上で、発表者の切り替えを承認する旨の入力がなされると（ステップＳ７０４）、その入力を受けて、制御部２０２が、画像送信の切断処理を実行する（ステップＳ７０５）。切断処理が完了すると、制御部２０２は、ネットワークプロジェクタ１から受信した発表者切替要求コマンドから情報処理端末３の情報（ＩＰアドレス）を取得し、該取得した情報（ＩＰアドレス）を付加した発表者切替承認コマンドをネットワークプロジェクタ１に送信する（ステップＳ７０６）。
【００８３】
ネットワークプロジェクタ１では、情報処理端末２から発表者切替承認コマンドを受信すると、制御部１０２が、記憶部１０６に格納されている発表者情報および参加者情報の変更を行う（ステップＳ７０７）。具体的には、制御部１０２は、発表者切替承認コマンドから情報処理端末３の情報（ＩＰアドレス）を取得し、記憶部１０６に格納されている、該取得した情報端末機器１の情報（ＩＰアドレス）の管理情報を参加者情報から発表者情報に変更する。さらに、制御部１０２は、記憶部１０６に発表者情報として格納してあった情報端末機器２の情報（ＩＰアドレス）の管理情報を参加者情報に変更する。
【００８４】
参加者情報および発表者情報の変更が完了すると、制御部１０２は、参加者コマンドを情報端末機器２に送信するとともに（Ｓ７０８）、発表者コマンドを情報端末機器３に送信する（Ｓ７０９）。情報端末機器２では、参加者コマンドを受信すると、参加者用端末としての処理が実行される。情報端末機器３では、発表者コマンドを受信すると、発表者用端末としての処理が実行される。
【００８５】
第２の実施形態の電子会議システムにおいても、図１０に示した処理と同様の手順で、発表者の切り替えを行うことができる。
【００８６】
以上各実施形態で説明した本発明の電子会議システムは、ネットワークプロジェクタが、無線端末（情報処理端末やセカンダリネットワークプロジェクタ）が発表者用端末および参加者用端末のいずれであるかの判定を行って管理するようになっているので、発表者や参加者は、自身が所持する情報処理端末やセカンダリネットワークプロジェクタを、発表者用端末または参加者用端末として登録するための作業を行う必要がない。
【００８７】
また、本発明の電子会議システムは、従来のシステム（特許文献１）に比較して以下のような特徴・効果も有する。
【００８８】
特許文献１に記載された電子会議システムでは、同じ会議室で複数の会議を同時に開くことは困難である。例えば１つの会議室を複数のエリアに区切って、エリア毎に会議を行う、といった場合、特許文献１に記載の電子会議システムでは、エリア間で混信しないように、ユーザ自身が意識して、ＳＳＩＤの設定を行う必要がある。このようなＳＳＩＤの設定は、ユーザにとって煩わしく、手間も掛かる。
【００８９】
本発明の電子会議システムによれば、ユーザが、ネットワークプロジェクタ上に表示される会議名の一覧から任意の会議名を選択すると、ネットワークプロジェクタが、その選択された会議名に対応する会議プロファイル情報を参照して自動的にネットワーク接続設定を行う。また、ネットワークプロジェクタは、ネットワーク接続設定が行われると、その設定で参照した会議プロファイル情報のＳＳＩＤを含む無線情報を定期的に送信し、情報処理端末が、その無線情報に含まれるＳＳＩＤの会議識別子に基づく会議名を表示する。ユーザが、その表示された会議名から任意の会議名を選択すると、情報処理端末が、その選択された会議名に関する会議プロファイル情報を参照して自動的にネットワーク接続設定を行う。このように、ユーザは、会議名の一覧から任意の会議名を選択するだけで、ＳＳＩＤの設定を意識することなく、ネットワークプロジェクタおよび情報処理端末のネットワーク接続設定を行うことができる。よって、特許文献１に記載のシステムに比べて、ネットワーク接続設定が容易である。
【００９０】
また、本発明の電子会議システムでは、記憶部に格納されている会議プロファイル情報の数だけ、会議を同時に開くことができる。例えば、１つの会議室を複数のエリアに区切って、エリア毎に会議を行う場合は、エリア毎に、ネットワークプロジェクタおよび情報処理端末を配置する。各エリアにおいて、会議名の選択を行うことにより、ネットワークプロジェクタおよび情報処理端末のネットワーク接続設定が自動で行われる。このように、複数のエリアで同時に会議を行う場合においても、ユーザは、ＳＳＩＤなどの設定を意識することなく、ネットワークプロジェクタおよび情報処理端末のネットワーク接続設定を行うことができる。
【００９１】
なお、複数のエリアで同時に会議を行う場合は、エリア間での混信を避けるために、各エリアにおいて、ユーザは、ネットワークプロジェクタ上で、他のエリアで使用されていない会議プロファイル情報を選択する必要がある。各エリアのネットワークプロジェクタを使用しているユーザ間で、使用中の会議プロファイル情報を確認することで、会議プロファイル情報が他のエリアで使用されているか否かの判断を行うことができる。このような会議プロファイル情報の確認は、エリア毎にＳＳＩＤなどのネットワーク接続設定を行う場合のような煩わしさはなく、手間のかかるものではない。
【００９２】
また、本発明の電子会議システムによれば、ネットワークプロジェクタ自身が発表者用端末および参加者用端末の判断を行うので、各情報処理端末に特殊なネットワークＩ／Ｆカードを装着する必要がない。
【００９３】
さらに、本発明の電子会議システムによれば、ネットワークプロジェクタは発表者用端末からの情報のみを受け付けて表示するので、特許文献１に記載のシステムのように表示処理が煩雑になることはない。
【００９４】
また、本発明の電子会議システムによれば、ネットワークプロジェクタと情報処理端末の間、および各情報処理端末の間における無線通信は、アドホックに対応する無線通信である。したがって、インフラストラクチャーの通信形態とは異なり、ネットワークプロジェクタの配置位置に応じてエリアを自由に設定することができるので、会議を行うエリアの設定における自由度が高い。なお、プロジェクタや情報処理端末がアクセスポイントを介して無線ＬＡＮと接続される、インフラストラクチャーの通信形態のシステムにおいて、同じ会議室で複数の会議を同時に開く場合は、エリアの設定範囲がアクセスポイントの配置形態により制限される。
【００９５】
以上説明した各実施形態のシステムは、本発明の一例であり、その構成および動作は、発明の趣旨を逸脱しない範囲で適宜に変更することができる。例えば、第１の実施形態のシステムでは、ネットワークプロジェクタ１が、情報処理端末３に予め発表者用端末のＩＰアドレスを通知し、情報処理端末３がその通知されたＩＰアドレスに基づいて情報処理端末２に接続要求を行うようになっている。これに代えて、ネットワークプロジェクタ１が、情報処理端末２に、参加者用端末（情報処理端末３）が接続される度に、該接続された参加者用端末に割り当てたＩＰアドレスを発表者用端末（情報処理端末２）に通知し、発表者用端末（情報処理端末２）が、その通知された参加者用端末（情報処理端末３）のＩＰアドレスに基づいて必要な情報を参加者用端末に送信するようにしてもよい。
【００９６】
また、第１の実施形態において、発表者がネットワークプロジェクタ１を起動した後、発表者が情報処理端末２を起動してネットワークプロジェクタ１への会議接続要求を送信する前に、参加者が情報処理端末３を起動してネットワークプロジェクタ１への会議接続要求を送信した場合は、ネットワークプロジェクタ１において、会議管理部は、会議接続要求を最初に受信した情報処理端末３を発表者用端末と判断することになる。しかし、この場合は、情報処理端末３からネットワークプロジェクタ１へ画像情報を送信することはない。したがって、第２の実施形態で述べたように、会議管理部が、発表者用端末であると判断した無線端末（情報処理端末３やネットワークプロジェクタ５）に対して、発表者コマンドを送信し、該発表者コマンドの送信から所定時間内に画像情報を該無線端末から受信しなかった場合は、該無線端末を参加者用端末と判断し、該無線端末の次に会議接続要求を受信した無線端末を発表者用端末と判断する、といった処理を実行することで、情報処理端末２を発表者用端末と判断することができる。
【００９７】
また、第１の実施形態において、ネットワークプロジェクタ１、情報処理端末２、３の各無線ＬＡＮ部は、アドホック対応の無線ＬＡＮインタフェースとしているが、これに代えて、インフラストラクチャー対応の無線ＬＡＮインタフェースとしてもよい。この場合も、第１の実施形態で説明した同様な動作を実現することができる。インフラストラクチャー対応とすることで、ネットワークプロジェクタ１、情報処理端末２、３を外部の有線ＬＡＮと接続することが可能となる。
【００９８】
また、第２の実施形態において、ネットワークプロジェクタ１をプライマリプロジェクタ、ネットワークプロジェクタ５をセカンダリプロジェクタ、情報処理端末２を発表者用端末、情報処理端末３を参加者用端末として、予め起動させることも可能である。以下に、参考例としてそのような起動が可能なシステムを説明する。
【００９９】
（参考例）
図１１は、本発明の参考例である電子会議システムにおける動作を説明するための図である。本参考例の電子会議システムは、基本的には、第２の実施形態の電子会議システムと同様の構成のものであるが、ネットワークプロジェクタ１をプライマリプロジェクタ（マスタ）、ネットワークプロジェクタ５をセカンダリプロジェクタ（スレーブ）、情報処理端末２を発表者用端末、情報処理端末３を参加者用端末として予め起動する点が第２の実施形態と異なる。
【０１００】
図１１を参照すると、参加者は、まず、プライマリプロジェクタであるネットワークプロジェクタ１の電源を投入する。ネットワークプロジェクタ１では、制御部１０２により、図６に示したステップＳ１０１〜Ｓ１０４の処理が実行される（ステップＳ１００の会議初期設定処理）。
【０１０１】
会議初期設定処理の後、発表者は、情報処理端末２上で、発表者用端末として起動するための入力操作を行うと、情報処理端末２は、予め用意されたプログラムにしたがって発表者用端末として起動する（ステップＳ４００）。その後、情報処理端末２とネットワークプロジェクタ１の間で、ステップＳ２００の会議選択処理（図６のステップＳ１０５、Ｓ１０６およびステップＳ２０１〜Ｓ２０８の処理）が実行される。この会議選択処理において、情報処理端末２は、会議接続要求を送信する際に、自端末が発表者用端末であることを示す端末識別情報を一緒に送信する。ネットワークプロジェクタ１は、情報処理端末２から受信した端末識別情報に基づいて、情報処理端末２が発表者用端末であると認識し、情報処理端末２に対して、発表者コマンドを送信する。
【０１０２】
発表者コマンドの送信後、情報処理端末２とネットワークプロジェクタ１の間で、ステップ４０１の発表者の処理（図７のステップＳ１１０〜Ｓ１１４およびステップＳ２０９〜Ｓ２１２の処理）が実行される。
【０１０３】
次いで、参加者が、情報処理端末３上で、参加者用端末として起動するための入力操作を行うと、情報処理端末３は、予め用意されたプログラムにしたがって発表者用端末として起動する（ステップＳ５００）。その後、情報処理端末３とネットワークプロジェクタ１の間で、ステップＳ２００の会議選択処理（図６のステップＳ１０５、Ｓ１０６およびステップＳ２０１〜Ｓ２０８の処理）が実行される。この会議選択処理において、情報処理端末３は、会議接続要求を送信する際に、自端末が参加者用端末であることを示す端末識別情報を一緒に送信する。ネットワークプロジェクタ１は、情報処理端末３から受信した端末識別情報に基づいて、情報処理端末３が発表者用端末であると認識し、情報処理端末３に対して、参加者コマンドを送信する。
【０１０４】
参加者コマンドの送信後、情報処理端末２、３の間で、ステップ５０１の参加者の処理（図８のステップＳ２１０〜Ｓ２１２およびステップＳ３０１〜Ｓ３０５の処理）が実行される。
【０１０５】
次いで、発表者が、ネットワークプロジェクタ５上で、セカンダリプロジェクタとして起動するための入力操作を行うと、ネットワークプロジェクタ５は、予め用意されたプログラムにしたがってセカンダリプロジェクタとして起動する（ステップＳ６００）。その後、ネットワークプロジェクタ１、５の間で、ステップＳ２００の会議選択処理（図６のステップＳ１０５、Ｓ１０６およびステップＳ２０１〜Ｓ２０８の処理）が実行される。この会議選択処理において、ネットワークプロジェクタ５は、会議接続要求を送信する際に、自端末がセカンダリプロジェクタであることを示す端末識別情報を一緒に送信する。ネットワークプロジェクタ１は、ネットワークプロジェクタ５から受信した端末識別情報に基づいて、ネットワークプロジェクタ５がセカンダリプロジェクタであると認識し、ネットワークプロジェクタ５に対して、参加者コマンドを送信する。
【０１０６】
参加者コマンドの送信後、情報処理端末２とネットワークプロジェクタ５の間で、ステップ５０１の画像受信の処理（図７のステップＳ１１０〜Ｓ１１４およびステップＳ２０９〜Ｓ２１２の処理）が実行される。
【０１０７】
本参考例の電子会議システムによれば、会議選択処理の段階で、ネットワークプロジェクタ１は、ネットワークプロジェクタ５をセカンダリプロジェクタ、情報処理端末２を発表者用端末、情報処理端末３を参加者用端末として認識することができるので、第１および第２の実施形態において行われているような会議接続処理（Ｓ３００）を行う必要がなく、その分、処理工程を削減することができる。また、処理工程数の削減により、プログラムも簡単になる。
【図面の簡単な説明】
【０１０８】
【図１】本発明の第１の実施形態である電子会議システムの概略構成を示す模式図である。
【図２】図１に示すネットワークプロジェクタの主要部の構成を示すブロック図である。
【図３】図２に示すネットワークプロジェクタの記憶部に格納される会議プロファイル情報の一例を示す図である。
【図４】図１に示す発表者用の情報処理端末の主要部を示すブロック図である。
【図５】図１に示す参加者用の情報処理端末の主要部を示すブロック図である。
【図６】図１に示す電子会議システムにおける、発表者用の端末および参加者用の端末とネットワークプロジェクタとの間の会議開始までの流れを説明するための図である。
【図７】図１に示す電子会議システムにおける、発表者用の端末とネットワークプロジェクタとの間の、会議開始後から画面送信までの流れを説明するための図である。
【図８】図１に示す電子会議システムにおける、発表者用の端末と参加者用の端末の間の、画面送信後から画面受信までの流れを説明するための図である。
【図９】本発明の第２の実施形態である電子会議システムの構成を示す模式図である。
【図１０】本発明の第３の実施形態である電子会議システムの動作を説明するための図である。
【図１１】本発明の参考例である電子会議システムの動作を説明するための図である。
【符号の説明】
【０１０９】
１  ネットワークプロジェクタ
２、３  情報処理端末
４  スクリーン
１００  無線ＬＡＮ
１０１、２０１、３０１  無線ＬＡＮ部
【図１】
2007288487.tif 000003
【図２】
2007288487.tif 000004
【図３】
2007288487.tif 000005
【図４】
2007288487.tif 000006
【図５】
2007288487.tif 000007
【図６】
2007288487.tif 000008
【図７】
2007288487.tif 000009
【図８】
2007288487.tif 000010
【図９】
2007288487.tif 000011
【図１０】
2007288487.tif 000012
【図１１】
2007288487.tif 000013